(57)【要約】【課題】接点数が異なるカメラに装填可能なバッテリホルダを提供する。【解決手段】複数の電池パック９０ａ，９０ｂを装填でき、カメラ本体２０の電池室に接続して電池パックから電源供給を行う取り外し可能なバッテリホルダ８０である。複数の電池パックのうちの少なくとも１個の電池パックのプラス極端子９６をカメラ本体２０と接続する接点面（第１のプラス電極）１０１と、複数の電池パックの残りの電池パックのうちの少なくとも１個の電池パックのプラス極端子９６をカメラ本体２０と接続する接点面（第２のプラス電極）１０４と、電池パックのマイナス極端子９８をカメラと接続する接点面（マイナス電極）１０３とを備え、接点面１０１と接点面１０３は略同一面上に並べて設けられ、一方接点面１０４は、接点面１０１、１０３とは異なり、突出した面に設けられている。  【選択図】  図６
2009043505.tif 000002
【特許請求の範囲】
【請求項１】
複数の電池を装填でき、カメラ本体の電池室に接続して上記電池から電源供給を行う取り外し可能なバッテリホルダにおいて、
上記複数の電池のうちの少なくとも１個の電池のプラス極を上記カメラ本体と接続する第１のプラス電極と、
上記複数の電池の残りの電池のうちの少なくとも１個の電池のプラス極を上記カメラ本体と接続する第２のプラス電極と、
上記電池のマイナス極をカメラと接続するマイナス電極とを備え、
上記第１のプラス電極と上記マイナス電極は略同一面上に並べて設けられ、一方上記第２のプラス電極は、上記第１のプラス電極、マイナス電極とは異なり、突出した面に設けられたことを特徴とするカメラのバッテリホルダ。
【請求項２】
上記突出した面は、上記カメラ本体の接点の押圧力量よりも強い力で押された場合には引っ込む構造になっていることを特徴とする請求項１に記載のカメラのバッテリホルダ。
【請求項３】
上記突出した面が引っ込むことに応じて、オンオフするスイッチ手段を備え、
引っ込んだ際には、上記第１の電極に複数の電池のプラス極を接続することを特徴とする請求項２に記載のカメラのバッテリホルダ。
【請求項４】
上記複数の電池を接続する際には、互いの電池に逆電流が流れないようにする整流素子を設けることを特徴とする請求項１又は請求項２に記載のカメラのバッテリホルダ。
【請求項５】
複数の電池を装填でき、カメラ本体の電池室に接続して上記電池から電源供給を行う取り外し可能なバッテリホルダにおいて、
上記複数の電池のうちの少なくとも１個の電池の電極を上記カメラ本体と接続する第１の電極と、
上記複数の電池のうちの残りの少なくとも１個の電池の電極を上記カメラ本体と接続する第２の電極と、
この第２の電極を突出する方向に付勢する付勢手段と、
を具備することを特徴とするバッテリホルダ。
【請求項６】
上記第２の電極の突出状態に応じて切り換るスイッチ手段を設け、上記第２電極が上記突出状態の際には、上記複数の電池のうちの少なくとも１個の電池は、上記第１電極を介して上記カメラ本体の電源回路に電源を供給し、上記複数の電池のうちの残りの少なくとも１個の電池は、上記第２電極を介して上記カメラ本体の上記電源回路に電源を供給することを特徴とする請求項５に記載のバッテリホルダ。
【請求項７】
上記第２の電極の突出状態に応じて切り換るスイッチ手段を設け、上記第２電極が上記非突出状態の際には、上記複数の電池は、上記第１電極を介して上記カメラ本体の電源回路に電源を供給すると共に、上記複数の電池の間に逆流防止用の整流素子が介挿されることを特徴とする請求項５に記載のバッテリホルダ。
【請求項８】
バッテリホルダまたは電池パックを電池室に装填し、電源供給を受けるカメラにおいて、
上記バッテリホルダまたは電池パックのプラス極と接続するための第１の本体プラス端子と、
上記バッテリホルダの上記プラス極と異なる第２のプラス極と接続するための第２の本体プラス端子と、
を具備し、上記第２の本体プラス端子は上記第１の本体プラス端子より引き込んだ位置に設けられていることを特徴とするカメラ。
【請求項９】
上記カメラは、さらにＡＣアダプタコネクタを有し、上記第１の本体プラス端子、上記第２の本体プラス端子、および上記ＡＣアダプタコネクタと、電源回路の間には、逆流防止用の整流素子が接続されていることを特徴とする請求項８に記載のカメラ。
【発明の詳細な説明】
【技術分野】
【０００１】
本発明は、カメラのバッテリホルダに関し、詳しくは、複数の電池を装填でき、カメラ本体に接続して電源供給を行う取り外し可能なカメラのバッテリホルダに関する。
【背景技術】
【０００２】
カメラ本体の電源供給のために電源電池はカメラ本体に内蔵されているが、それ以外にも、取り外し可能なバッテリホルダが従来から使用されている。そして、バッテリホルダとしては、電池を２個並列に接続するタイプも知られている（例えば、特許文献１）。このような電池並列タイプのバッテリホルダにおいては、複数の電池の間で、逆流電流が流れるのを防止するために逆流防止用のダイオードが接続されている。
【特許文献１】特開２００７−８０６１７号公報
【０００３】
この逆流防止用ダイオードの動作について、図９を用いて説明する。図９に示すシステムは、カメラ本体ＢとバッテリホルダＰＢＨとから構成されており、バッテリホルダＰＢＨ内には、２個の電池Ｅ１、Ｅ２が並列に接続され、配置されている。電池Ｅ１のプラス電極と電池Ｅ２のプラス電極の間には逆流防止用のダイオードＤ１、Ｄ２のそれぞれのカソードが接続され、ダイオードＤ１とＤ２のそれぞれのアノードは互いに接続されている。このアノードの接続点は、バッテリホルダＰＢＨとカメラ本体Ｂの接続点およびカメラ本体Ｂ内のダイオードＤ３を介して、電源回路ＢＣに接続されている。ここで、ダイオードＤ３は、外部電源としてのＡＣアダプタをカメラ本体Ｂに接続した際の逆流防止用である。
【０００４】
図９に示すバッテリホルダにおいては、ダイオードＤ１、Ｄ２の働きにより電源電池Ｅ１、Ｅ２の電源電流が逆流し、電源浪費を防止することができる。しかしながら、バッテリホルダＰＢＨに電池が１個だけ装填されている場合には、逆流防止用ダイオードＤ１またはＤ２が不要であるにも係わらず、この逆流防止用ダイオードＤ１またはＤ２における電圧降下のために撮影枚数が低下してしまう。
【０００５】
この電圧降下による撮影枚数の低下について、図８を用いて説明する。図８は使用環境の温度ごとに放電容量と電圧降下の関係を示す図である。一般に、デジタルカメラの半導体素子等は、６．０Ｖ以上の電圧があれば動作し、また、ダイオードにおける順方向電圧は、流れる電流によっても変わるので一概に言えないが、仮にカメラが正常に動作するに必要な電流を流したときに０．６Ｖとする。逆流防止用ダイオードが接続されていない場合には、６．０Ｖ以上で動作するが、逆流防止用ダイオードが接続されている場合には、６．６Ｖ以上ないと動作しない。この結果、環境温度が０°Ｃの場合においては、逆流防止用ダイオードが接続されているときには、放電容量が１６００ｍＡｈ程度までしか利用することができないのに対して、逆流防止用ダイオードが接続されていないときには、１９５０ｍＡｈ程度まで電池を利用することができる。逆流防止用ダイオードを接続している場合には、この放電容量の差に応じて撮影可能駒数が減少してしまう。
【０００６】
このように、２個以上の電池を並列接続したバッテリホルダにおいては、逆流防止用ダイオードは必要であるが、逆流防止用ダイオードが不要なときにも接続されているために、電源の浪費となってしまうことがある。そこで、電池が１個しか装填されない場合には、逆流防止用ダイオードをバイパスするように構成することが考えられる。
【発明の開示】
【発明が解決しようとする課題】
【０００７】
このような対策を施したバッテリホルダは、接点として、１つのマイナス電極（グランド電極）、２つのプラス電極が少なくとも必要となる。すなわち、従来に比較して、プラス電極が１つ追加される。しかし、カメラ本体に装着されるバッテリホルダとしては、逆防止用ダイオードの不具合対策を行ったホルダばかりではなく、実際には、未対策のホルダも存在することになる。このため、未対策のバッテリホルダをカメラ本体に装填した場合には、追加されたプラス電極の接点が電池に接触し、電池を傷つけると共に、接触した際に発生する屑が接点不良を生じさせるおそれがある。
【０００８】
本発明は、このような事情を鑑みてなされたものであり、接点数が異なるカメラに装填可能なバッテリホルダを提供することを目的とする。
【課題を解決するための手段】
【０００９】
上記目的を達成するため第１の発明に係わるバッテリホルダは、複数の電池を装填でき、カメラ本体の電池室に接続して上記電池から電源供給を行う取り外し可能なバッテリホルダにおいて、上記複数の電池のうちの少なくとも１個の電池のプラス極を上記カメラ本体と接続する第１のプラス電極と、上記複数の電池の残りの電池のうちの少なくとも１個の電池のプラス極を上記カメラ本体と接続する第２のプラス電極と、上記電池のマイナス極をカメラと接続するマイナス電極とを備え、上記第１のプラス電極と上記マイナス電極は略同一面上に並べて設けられ、一方上記第２のプラス電極は、上記第１のプラス電極、マイナス電極とは異なり、突出した面に設けられている。
【００１０】
第２の発明に係わるバッテリホルダは、上記第１の発明において、上記突出した面は、上記カメラ本体の接点の押圧力量よりも強い力で押された場合には引っ込む構造になっている。
また、第３の発明に係わるバッテリホルダは、上記第２の発明において、上記突出した面が引っ込むことに応じて、オンオフするスイッチ手段を備え、引っ込んだ際には、上記第１の電極に複数の電池のプラス極を接続する。
さらに、第４の発明に係わるバッテリホルダは、上記第１または第２の発明において、上記複数の電池を接続する際には、互いの電池に逆電流が流れないようにする整流素子を設ける。
【００１１】
上記目的を達成するため第５の発明に係わるバッテリホルダは、複数の電池を装填でき、カメラ本体の電池室に接続して上記電池から電源供給を行う取り外し可能なバッテリホルダにおいて、上記複数の電池のうちの少なくとも１個の電池の電極を上記カメラ本体と接続する第１の電極と、上記複数の電池のうちの残りの少なくとも１個の電池の電極を上記カメラ本体と接続する第２の電極と、この第２の電極を突出する方向に付勢する付勢手段を具備する。
【００１２】
第６の発明に係わるバッテリホルダは、上記第５の発明において、上記第２の電極の突出状態に応じて切り換るスイッチ手段を設け、上記第２電極が上記突出状態の際には、上記複数の電池のうちの少なくとも１個の電池は、上記第１電極を介して上記カメラ本体の電源回路に電源を供給し、上記複数の電池のうちの残りの少なくとも１個の電池は、上記第２電極を介して上記カメラ本体の上記電源回路に電源を供給する。
また、第７の発明に係わるバッテリホルダは、上記第５の発明において、上記第２の電極の突出状態に応じて切り換るスイッチ手段を設け、上記第２電極が上記非突出状態の際には、上記複数の電池は、上記第１電極を介して上記カメラ本体の電源回路に電源を供給すると共に、上記複数の電池の間に逆流防止用の整流素子が介挿される。
【００１３】
上記目的を達成するため第８の発明に係わるカメラは、バッテリホルダまたは電池パックを電池室に装填し、電源供給を受けるカメラにおいて、上記バッテリホルダまたは電池パックのプラス極と接続するための第１の本体プラス端子と、上記バッテリホルダの上記プラス極と異なる第２のプラス極と接続するための第２の本体プラス端子を具備し、上記第２の本体プラス端子は上記第１の本体プラス端子より引き込んだ位置に設けられている。
【００１４】
第９の発明に係わるカメラは、上記第８の発明において、さらにＡＣアダプタコネクタを有し、上記第１の本体プラス端子、上記第２の本体プラス端子、および上記ＡＣアダプタコネクタと、電源回路の間には、逆流防止用の整流素子が接続されている。
【発明の効果】
【００１５】
本発明によれば、接点数が異なるカメラに装填可能なバッテリホルダを提供することができる。
【発明を実施するための最良の形態】
【００１６】
以下、図面に従って本発明を適用したデジタル一眼レフカメラに装填可能なバッテリホルダを用いて好ましい実施形態について説明する。本発明の一実施形態に係わるバッテリホルダは、２個のバッテリが装填可能であり、２個のバッテリは並列接続であることから、１個のバッテリを装填するだけでもデジタルカメラは動作する。
【００１７】
図１は、バッテリホルダ８０、カメラ本体２０およびレンズ鏡筒１０からなるカメラシステムの電気回路を示すブロック図である。レンズ鏡筒１０の内部には、焦点調節および焦点距離調節用の撮影光学系１１と、開口量を調節するための絞り１２が配置されている。撮影光学系１１はレンズ駆動機構１３によって駆動され、絞り１２は絞り駆動機構１４によって駆動されるよう接続されている。
【００１８】
レンズ駆動機構１３、絞り駆動機構１４はそれぞれレンズ制御用マイクロコンピュータ（以下、Ｌμｃｏｍと称す）１５に接続されており、このＬμｃｏｍ１５は通信コネクタ３５を介してカメラ本体２０に接続されている。Ｌμｃｏｍ１５はレンズ鏡筒１０内の制御を行うものであり、レンズ駆動機構１３を制御してピント合わせや、ズーム駆動を行うとともに、絞り駆動機構１４を制御して絞り値制御を行う。
【００１９】
カメラ本体２０のミラーボックス内には、可動反射ミラー４０が設けられており、被写体像を観察光学系に反射するために撮影光学系１１の光軸に対して４５度傾いた位置と、被写体像を撮像用撮像素子５１に導くために跳ね上がった位置との間で回動可能に構成されている。
【００２０】
この可動反射ミラー４０の上方には、被写体像を結像するためのフォーカシングスクリーンや、被写体像を左右反転させるためのポロプリズム等から構成されるファインダ光学系４１が配置されている。このファインダ光学系４１の出射側(図１で右側)には被写体像観察用の接眼レンズ４２が配置されている。また、ファインダ光学系４１の出射側（図１で上側）には、表示用撮像素子４３と、撮像に邪魔にならない位置に測光センサを含む測光回路４４が配置されている。なお、表示用撮像素子４３としては、ＣＣＤ（Charge Coupled
Devices）や、ＣＭＯＳ（Complementary Metal Oxide Semiconductor）等の二次元撮像素子が使用できることはいうまでもない。
【００２１】
可動反射ミラー４０の中央付近はハーフミラーで構成されており、この可動反射ミラー４０の背面には、ハーフミラー部で透過した被写体光をカメラ本体２０のミラーボックス内の下部に反射するためのサブミラー４７が設けられている。このサブミラー４７は、可動反射ミラー４０に対して回動可能であり、可動反射ミラー４０が跳ね上がっているときには、ハーフミラー部を覆う位置に回動し、可動反射ミラー３が被写体像観察位置にあるときには、図示する如く可動反射ミラー４０に対して開いた位置にある。この可動反射ミラー４０はミラー駆動機構５４によって駆動されている。
【００２２】
また、サブミラー４７の下方にはＡＦセンサユニット４８が配置されており、このＡＦセンサユニット４８は、公知のＴＴＬ瞳分割方式による測距を行うためのＡＦユニットであり、内部にはＡＦセンサが設けられている。ＡＦセンサユニット４８はＡＦセンサ駆動回路５３に接続されており、ＡＦセンサ駆動回路５３は、ＡＦセンサユニット４８の回路系の駆動を行ない、ＡＦセンサから信号を読み出す。この信号出力に基づいて、撮影光学系１１によって結像される被写体像の焦点ズレ量が求められる。
【００２３】
可動反射ミラー４０の後方には、露光時間制御用のフォーカルプレーンタイプのシャッタ５０が配置されており、このシャッタ５０はシャッタチャージ機構５５によってシャッタチャージされる。また、シャッタ５０は、シャッタ制御回路５６に接続されており、シャッタ先幕および後幕の制御がなされる。シャッタ５０の後方には撮影用撮像素子５１が配置されており、撮影光学系１１によって結像される被写体像を電気信号に光電変換する。なお、撮影用撮像素子５１としては、表示用撮像素子４３と同様に、ＣＣＤやＣＭＯＳ等の二次元撮像素子を使用でき、表示用撮像素子４３より画素数が多い素子を使用する。
【００２４】
撮影用撮像素子５１と、表示用撮像素子４３の出力は、インターフェース回路５９に接続され、このインターフェース回路５９によってアナログデジタル変換（ＡＤ変換）等がなされる。インターフェース回路５９は画像処理コントローラ６０に接続されている。この画像処理コントローラ６０はＡＤ変換された画像データに対して、色補正、ガンマ(γ)補正、コントラスト補正、白黒・カラーモード処理、ライブビュー画像処理といった各種の画像処理を行う。また、画像データをＪＰＥＧやＴＩＦＦ等の方式で圧縮し、また伸張を行なう。なお、画像圧縮はＪＰＥＧやＴＩＦＦに限らず、他の圧縮方式も適用できる。
【００２５】
画像処理コントローラ６０には、バッファメモリとしてのＳＤＲＡＭ（Synchronous Dynamic
Random Access Memory）６１、フラッシュＲＯＭ（Flash ROM）６２、記録メディア６３、液晶モニタ２６が接続されている。ＳＤＲＡＭ６１は、画像処理された画像データの一時記憶を行なう。フラッシュＲＯＭ６２は、電気的に書き換え可能な不揮発性メモリであり、画像データに対してユーザーの好みに応じて処理される画像処理に関する種々のパラメーター等が記憶されている。
【００２６】
記録メディア６３は、画像データを記憶するメモリであり、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２０に対して着脱自在となっている。その他、通信接点を介してハードディスクを接続可能に構成してもよい。液晶モニタ２６は、カメラ本体２０の背面等に配置され、ライブビュー表示、撮影画像の表示、再生画像の表示および撮影情報の表示を行なう。なお、液晶モニタに限らず、他の表示装置でもよい。
【００２７】
画像処理コントローラ６０は、カメラ本体２０を制御するコントローラであるボディ制御用マイクロコンピュータ（Ｂμｃｏｍ）６５に接続されている。Ｂμｃｏｍ６５は、前述の通信コネクタ３５、測光回路４４、ＡＦセンサ駆動回路５３、ミラー駆動機構５４、シャッタチャージ機構５５、シャッタ制御回路５６に接続されており、これらの回路や機構の制御を行う。通信コネクタ３５は、レンズ鏡筒１０の電気接点と接続可能であり、Ｌμｃｏｍ１５と通信するためのコネクタである。
【００２８】
また、Ｂμｃｏｍ６５は、不揮発性メモリ６７、動作表示用ＬＣＤ６８、カメラ操作スイッチ６９、電源回路７０にも接続されている。不揮発性メモリ６７は、ＥＥＰＲＯＭ等の電気的に書き換え可能な不揮発性メモリであり、カメラの調整値等が記憶されている。動作表示用ＬＣＤ６８は、動作状態を表示するためにカメラ本体２０の上面等に配置された小型の液晶表示装置である。
【００２９】
カメラ操作スイッチ６９は、シャッタレリーズ釦の第1ストロークや第２ストロークを検出するスイッチ、再生モードを指示するスイッチ、ＩＳＯ設定モードを指示するスイッチ、ホワイトバランス設定を指示するスイッチ、液晶モニタ２６の画面でカーソルの動きを指示するするスイッチ、モードダイヤルに連動して撮影モードを指示するスイッチ、選択された各モード等を決定するＯＫスイッチ、表示切換を指示するスイッチ等の種々の操作スイッチからなる。
【００３０】
カメラ本体２０内に装填される電池（不図示）や、後述するバッテリホルダ８０に内蔵された電池セル９１ａ、９１ｂや、ＡＣアダプタコネクタ７２は、電源回路７０に接続されており、この電源回路７０によって所定の電圧に定電圧化されて、各回路ユニット等に給電される。なお、ＡＣアダプタコネクタ７２は、外部のＡＣ電源（商用交流電源）から電源供給を受けるためのコネクタであり、電源回路７０とＡＣアダプタコネクタ７２との間には逆流用防止のダイオード７６が接続されている。
【００３１】
カメラ本体２０には、バッテリホルダ８０が装填可能であり、また、接点群７５を介して、両者は電気的に接続可能である。このバッテリホルダ８０には、電池パック１  ９０ａと電池パック２  ９０ｂの２つの電池パックが個々に装填可能であり、接点群８２ａ、８２ｂを介して、両者は電気的に並列接続可能となっている。
【００３２】
電池パック１  ９０ａと電池パック２  ９０ｂの内部には、それぞれ電池セル９１ａ、電池セル９１ｂが内蔵され、この電池セルにサーミスタ９２ａ、９２ｂが並行に接続されている。電池パック９０ａ、９０ｂを装填するバッテリホルダ８０には、それぞれ３つの接点からなる接点群８２ａ、８２ｂが設けてあり、電池セル９１ａ、９１ｂのプラス極（＋極）９６とマイナス極（−極）端子９８、およびサーミスタ９２ａ、９２ｂの検知出力端子９７を有している（図３参照）。
【００３３】
電池セル９１ａのプラス極９６は、接点群７５を介してダイオード７７のアノードに接続されると共に、バッテリホルダ８０内のダイオード８３のアノードにも接続されている。また、電池セル９１ｂのプラス極９６は、切換スイッチ８７および接点群７５を介してダイオード７８のアノードに接続されると共に、バッテリホルダ８０内のダイオード８４のアノードにも接続されている。
【００３４】
切換スイッチ８７の固定端子はダイオード７８のアノードに接続され、一方、第１の可動接点はダイオード８３およびダイオード８４のカソード側接続点に接続され、第２の可動接点は、電池セル９１ｂのプラス極端子およびダイオード８４のアノードの接続点に接続されている。この切換スイッチ８７の切り換え動作については、図６および図７を用いて後述する。なお、逆流防止用のダイオード７６、７７、７８、８３、８４は、ショットキバリダイオードまたはＰＮ接合ダイオードで構成される。
【００３５】
電池セル９１ａ、９１ｂの各マイナス極端子９８と、サーミスタ９２ａ、９２ｂの一端側は共にグランドレベル側に接続され、接点群７５を介して、カメラ本体２０のグランドレベルに接続されている。また、サーミスタ９２ａおよびサーミスタ９２ｂの検出出力端子は、それぞれ接点群７５を介して、カメラ本体２０内のＢμｃｏｍ６５に接続されている。
【００３６】
また、バッテリホルダ８０には、レリーズ釦（不図示）が配置されており、カメラ本体２０に設けられたレリーズ釦と同様の機能を果たし、レリーズ釦の半押しに連動してオンとなる１Ｒスイッチ８５と、レリーズ釦の全押しに連動してオンとなる２Ｒスイッチ８６が設けられている。１Ｒスイッチ８５と２Ｒスイッチ８６の一端側は、接点群７５を介して、カメラ本体２０のＢμｃｏｍ６５に接続され、また、他端側は、それぞれ接点群７５を介して、Ｂμｃｏｍ６５の別の入力端子に接続されている。
【００３７】
次に、本実施形態におけるバッテリホルダ８０の構成について、図２を用いて説明する。図２はバッテリホルダ８０の外観斜視図であり、このバッテリホルダ８０は、カメラ本体２０の底部に装着可能となっている。すなわち、接点支柱１００は、カメラ本体２０内の内蔵電池の収納室に挿入可能となっており、また雄ネジで構成された三脚ネジ１０５はカメラ本体２０の底部の雌ネジ（不図示）に螺合可能となっている。
【００３８】
接点支柱１００の水平方向の断面は、カメラ本体２０の内蔵電池室の水平断面形状と相似形でやや小さい大きさとなっている。そして、接点支柱１００の支柱側面の上部側には、固定の接点面１０１、１０２、１０３と、可動の接点面１０４が設けられており（図２及び図４参照）、これらは、接点群７５の内の４つの接続端子、すなわち、ダイオード７７と接続するプラス電極端子、ダイオード７８と接続するプラス電極端子、サーミスタ９２ａ、グランドレベルに接続する端子に相当する（図１参照）。
【００３９】
この接点支柱１００に設けられた接点面１０１は第１プラス電極端子（＋１）であり、接点面１０２はサーミスタ電極端子（Ｔ１）であり、接点面１０３はマイナス電極端子（−）である。これらの接点面は、図４に示すように、接点支柱１１０の側面より若干、奥まった面で、略同一面上に並べて設けられている。一方、可動の接点面１０４は、バネ１２８（図６参照）等の付勢部材によって接点支柱１００から突出するように付勢されており、第１プラス電極端子（＋１）、マイナス電極端子（−）等とは異なり、突出可能な面となっている。なお、この可動の接点面１０４は、カメラ本体２０の接点の押圧力量よりも強い力で押された場合には引っ込む構造になっている。
【００４０】
接点支柱１００が装填されるカメラ本体２０内の電池室は、図５に示すように、接点面１０１と接触可能な接片１２１、接点面１０２と接触可能な接片１２２、接点面１０３と接触可能な接片１２３が、また、可動の接点面１０４と接触可能な接片１２４が配設されている。接片１２１、１２２、１２３の接触面に対して、接片１２４は奥まった位置に接触面が設けられている。つまり、接点面１０４は、図４に示すように突出面であることから、凹部１２９内に配置し、接触位置を他の接片に対して下げている。
【００４１】
接片１２１、１２２、１２３，１２４との信号ラインはフレキシブル基板１２６と電池室の間に配置され、このフレキシブル基板１２６は押さえ板１２７によって押圧されている。すなわち、押さえ板１２７の押圧力によって、フレキシブル基板１２６と接片１２１、１２２、１２３，１２４の信号ラインは電気的接続がとられている。同様に、信号線１１１、１１２、１１３、１１４と接触する信号線１１１ａ、１１２ａ、１１３ａ、１１４ａも、フレキシブル基板１２６に押さえ板１２７によって押圧され、電気的接続がとられている。
【００４２】
また、接点支柱１００の上端面には、信号線１１１、１１２、１１３、１１４が配置されている（図２および図４参照）。信号線１１１は１Ｒスイッチ８５とＢμｃｏｍ６５を接続するラインに相当し、信号線１１２は２Ｒスイッチ８６とＢμｃｏｍ６５を接続するラインに相当し、信号線１１３は１Ｒスイッチ８５および２Ｒスイッチ８６をグランドレベルに接続するラインに相当し、信号線１１４はサーミスタ９２ｂの出力をＢμｃｏｍ６５と接続するラインに相当する（図１参照）。
【００４３】
図２に示す三脚ネジ１０５は三脚ネジダイアル１０６と一体に構成されており、三脚ネジダイアル１０６を回転することにより三脚ネジ１０５も回転し、バッテリホルダ８０はカメラ本体２０に対して着脱可能である。また、バッテリホルダ８０の底部側には、電池パック９０を矢印Ａ方向に沿って装填する電池室１１０ａおよび１１０ｂが設けられている。電池パック９０ａ、９０ｂが電池室１１０ａ、１１０ｂに装填され、または電池室から離脱されると、開閉自在なカバー１０７は電池室１１０ａ、１１０ｂの開口部を開閉することが可能である。
【００４４】
電池パック９０は、図１における電池パック９０ａと９０ｂと同一構成であり、内部に電池セル９１ａ、９１ｂと、サーミスタ９２ａ、９２ｂを有し、外部は図３に示すようにケース９５によって密閉されている。そして、ケース９５の稜線部にプラス（＋）極端子９６、サーミスタ端子９７およびマイナス（−）極端子９８が設けられている。
【００４５】
このように構成されている本発明の一実施形態に係わるバッテリホルダ８０を、接片が４つ設けてあり、バッテリホルダ８０に適合するカメラ本体２０に装填した場合の動作について、図６を用いて、また、接片が３つ設けてある従来のカメラ本体２０Ａに装填した場合の動作について、図７を用いて説明する。
【００４６】
接片が４つ設けてあるカメラ本体２０にバッテリホルダ８０を装填すると、バッテリホルダ８０の接点面１０１はカメラ本体２０の接片１２１と接し、接点面１０２は接片１２２と接し、接点面１０３は接片１２２と接する。バッテリホルダ８０の可動の接点面１０４が凹部１２９に嵌合すると、接点面１０４と接片１２４に接する。また、接点面１０４が凹部１２９に嵌合すると、切換スイッチ８７の可動接点は、ダイオード８３、８４の両アノードの接続点側から、電池パック１  ９０ａの電池セルＥ１のプラス極側に切り換る。すなわち、切換スイッチ８７は、可動な接点面１０４が引っ込むことに応じて、オンオフし、引っ込んだ際には、可動接点は、第１プラス電極端子である接点面１０１に複数の電池（９１ａ、９１ｂ）のプラス極端子９６を接続させる。
【００４７】
また、バッテリホルダ８０の信号線１１１は、カメラ本体２０の信号ライン１１１ａに接し、信号線１１２は信号ライン１１２ａに接し、信号線１１３は信号ライン１１３ａに接し、信号線１１４は信号ライン１１４ａに接する。なお、信号線１１３および信号ライン１１３ａはグランドレベルであり、接片１２３および接点面１０３はマイナス電極のレベルであり、両者は異なるレベルで表記してあるが、共通のグランドレベルに接続するようにしてもよい。図１には各回路ブロックのグランド接続の表記を省略している。
【００４８】
このように接点面と接片が接することにより、電池パック９０ａの電池セル９１ａのプラス極は切換スイッチ８７、接点面１０１、接片１２１、ダイオード７８を介して、電源回路７０のプラス極に接続される。また、電池パック９０ｂの電池セル９１ｂのプラス極は、接点面１０４、接片１２４、ダイオード７７を介して、電源回路７０のプラス極に接続される。電池セル９１ａと電池セル９１ｂの両プラス極の間には、ダイオード８３、８４のアノードが接続しているので、逆流することはない。
【００４９】
なお、本実施形態においては、ダイオード７７、７８が介挿されているために、このダイオードにおいて、順方向電圧分だけ電圧降下が生ずる。これらのダイオードは、ＡＣアダプタコネクタ７２を介して、商用電源と接続した際の逆流防止用である。ＡＣアダプタコネクタ７２を省略するのであれば、これらのダイオード７７、７８も省略することができ、より一層、撮影可能駒数を増加することができる。
【００５０】
次に、このバッテリホルダ８０を接片が３つ設けてある従来のカメラ本体２０Ａに装填した場合の動作について、図７を用いて説明する。カメラ本体２０Ａには、接片が４つ設けてあるカメラ本体２０とは異なり、凹部１２９および接片１２４が設けられていない。このため、電池セル９１ａおよび電池セル９１ｂのプラス極からの電圧は、接点面１０１および接片１２１を通じて、電源回路７０に供給するようにしている。
【００５１】
すなわち、カメラ本体２０Ａには凹部１２９が設けられていないことから、接点面１０４はカメラ本体２０Ａによって押圧され、突出することができず、このため切換スイッチ８７の可動接点は、ダイオード８３、８４のアノードの接続点に切り換る。この結果、電池パック９０ａのプラス極端子９６は、ダイオード８３、切換スイッチ８７、接点面１０１、接片１２１、ダイオード７８を介して電源回路７０のプラス極に接続される。また、電池パック９０ｂのプラス極端子９６、ダイオード８４、切換スイッチ８７、接点面１０１、接片１２１、ダイオード７８を介して電源回路７０のプラス極に接続される。
【００５２】
このように、バッテリホルダ８０を４つの接片を有するカメラ本体２０に装填した場合には、バッテリホルダ８０内に配置された逆流防止用のダイオード８３、８４を介さずに電源回路７０に電源供給できる。このため、これらのダイオードの順方向電圧の降下がなく、撮影可能駒数を増加することができる。また、３つの接片を有する従来のカメラ本体２０Ａに装填した場合においても、ダイオード８３、８４、および接点面１０１、接点１２１を介して電源回路７０に電源供給することができる。
【００５３】
以上の説明は、接点面１０４および切換スイッチ８７を有したバッテリホルダ８０をカメラ本体に装填した場合であるが、逆に、接点面１０４および切換スイッチ８７を有しないバッテリホルダをカメラ本体２０に装填した場合であっても、バッテリホルダからカメラ本体２０に対して電源供給を行うことができる。
【００５４】
この場合には、カメラ本体２０側の接片１２１、１２２、１２３を介して、電池セル側のプラス極、マイナス極、サーミスタ検出端子からの出力が、カメラ本体２０側に供給・伝達される。なお、カメラ本体２０には、接片１２４が設けられているが、この接片１２４は凹部１２９内に配置されており、接片１２１、１２２、１２３の面より下がっていることから、バッテリホルダ８０を傷付け、切り屑等が接点不良等を引き起こすおそれがない。
【００５５】
また、このようなカメラ本体２０の電池室に図３に示す電池パック９０が装填された場合にも、同様に、カメラ本体２０に対して電源供給を行うことができる。すなわち、この場合には、電池セル９０のプラス極端子９６は接片１２１を介して接続され、電池セル９０のサーミス端子９７は接片１２２を介して接続され、電池セル９０のマイナス極端子９８は接片１２３を介して接続される。このときも接片１２４は凹部１２９内に配置されていることから、接片１２４が電池セル９０に接することはない。このため、接片１２４が電池セル９０の表面に接触し、傷付けることはなく、このため切り屑等が接点不良等を引き起こすおそれがない。
【００５６】
以上の如く本実施形態に係わるバッテリホルダ８０とカメラ本体２０は構成されている。このバッテリホルダ８０とカメラ本体２０に対して従来のバッテリホルダおよびカメラ本体とを組み合わせると次のようになる。まず、従来の電池接片が３つのカメラに対して、従来のバッテリホルダを組み合わせて使用する場合は、図９に示したように、バッテリホルダ内のダイオードＤ１、Ｄ２の順方向の電圧降下Ｖｆ分、伝電圧のチェックに誤差としてのるため、撮影駒数が電池２個分使用する場合に比較して減少してしまう。
【００５７】
また、従来の電池接片が３つのカメラに対して、本実施形態に係わるバッテリホルダ８０を組み合わせて使用する場合には、可動の接点面（第２のプラス電極＋２）１０４が押し下げられ、その結果、接点面（第１のプラス電極＋１）１０１には、従来のバッテリホルダと同様の回路構成となる。
【００５８】
さらに、本実施形態に係わる電池接片が４のカメラ本体２０に対して、従来のバッテリホルダ（図９参照）を組み合わせて使用する場合には、可能の接点面（第２のプラス電極＋２）１０４は使用されず、接点面（第１のプラス電極＋１）１０１が従来のカメラと同様に接続される。
【００５９】
さらに、本実施形態に係わる電池接片が４つのカメラ本体２０に対して、本実施形態に係わるバッテリホルダ８０を組み合わせて使用する場合、バッテリホルダ８０に電池を１つ装填した場合には、撮影駒数に差は生じない。一方、バッテリホルダ８０に電池を２つ装填した場合には、電池が１つの場合に比べて、約２倍相当の撮影駒数となる。
【００６０】
このように、本実施形態におけるバッテリホルダ８０は、複数の電池のうちの少なくとも１個の電池の電極をカメラ本体と接続する第１の電極（接点面１０１）と、複数の電池のうちの残りの少なくとも１個の電池の電極をカメラ本体と接続する第２の電極（接点面１０４）を設け、第２の電極（接点面１０４）の面を第１の電極（接点面１０１）より突出する位置に設けるようにしている。この第１及び第２の電極の位置を相違させたことにより、接点数が異なるカメラに装填可能なバッテリホルダ８０を提供することができる。
【００６１】
また、本実施形態におけるバッテリホルダ８０は、第２の電極（接点面１０４）の突出面は、カメラ本体の接点の押圧力量よりも強い力で押された場合には引き込む構造としている。このため、バッテリホルダが、接点数の少ないカメラ本体に装填された場合には、第２の電極を非接続状態とすることができる。
【００６２】
さらに、本実施形態におけるバッテリホルダ８０は、第２の電極（接点面１０４）が引き込んだ際に、切り換る切換スイッチ８７を設け、第１の電極（接点面１０１）に、複数の電池のプラス極を接続するようにしている。このため、バッテリホルダ８０が接点数の少なくカメラ本体に装填された場合には、第１の電極を通じてカメラ本体に電源供給を行うことができる。
【００６３】
さらに、本実施形態におけるバッテリホルダ８０は、逆流防止用のダイオード８３、８４を設けてあるので、電池パック９０ａ、９０ｂが装填された場合に逆流することがない。
【００６４】
さらに、本実施形態におけるカメラは、バッテリホルダ８０または電池パックのプラス極と接続するための第１の本体プラス端子（接片１２１）と、バッテリホルダ８０のプラス極（電池パック９０ａのプラス極端子９６）と異なる第２のプラス極（電池パック９０ｂのプラス極端子９６）と接続するための第２の本体プラス端子（接片１２４）を具備し、第２の本体プラス端子（接片１２４）は第１の本体プラス端子（接片１２１）より引き込んだ位置に設けるようにしている。このため、バッテリホルダ８０や電池パック９０の電極数が異なっていても、第２の本体プラス端子が引き込んだ位置にあることから、邪魔にならず、使用することができる。
【００６５】
なお、本実施形態に係わるバッテリホルダ８０は電池パック９０が２個、装填可能であるが、３個以上でも構わない。また、逆流防止用にダイオード８３、８４を設けたが、これに限らず、逆流防止機能を有する整流素子であればよい。同様に、本体側の逆流防止用のダイオード７６、７７、７８も逆流防止機能を有する整流素子であればよい。
【００６６】
本発明の実施形態の説明にあたっては、カメラとしては、デジタル一眼レフカメラに適用した例を挙げたが、デジタルカメラとしては一眼レフタイプやコンパクトタイプのデジタルカメラ等のいずれでも良く、またこれらのデジタルカメラ以外にも、フィルムカメラ、ビデオカメラ等の携帯電子機器でもよく、また専用機に組み込まれるような撮像装置であってもよい。いずれにしても、カメラ等の撮影装置と組み合わせて使用するバッテリホルダや、バッテリホルダと組み合わせて使用しうるカメラ等の撮影装置であれば本発明を適用できる。
【図面の簡単な説明】
【００６７】
【図１】本発明の一実施形態に係わるカメラとバッテリホルダの電気系を主とするブロック図である。
【図２】本発明の一実施形態に係わるバッテリホルダの外観斜視図である。
【図３】本発明の一実施形態に係わる電池パックの外観斜視図である。
【図４】本発明の一実施形態におけるバッテリホルダの接点支柱の部分図であり、（Ａ）は平面図、（Ｂ）は正面図、（Ｃ）は側面図である。
【図５】本発明の一実施形態におけるバッテリパックが装填されるカメラ本体の電池室の内部構造を示す図であり、（Ａ）は平面図、（Ｂ）は正面図、（Ｃ）は側面図である。
【図６】本発明の一実施形態において、電池接片が４つのタイプのカメラとバッテリホルダの接続関係を示すブロック図である。
【図７】本発明の一実施形態において、電池接片が３つのタイプのカメラとバッテリホルダの接続関係を示すブロック図である。
【図８】本発明の一実施形態で使用可能な電池の電圧と放電容量の関係を示す図である。
【図９】従来におけるカメラとバッテリホルダの接続関係を示すブロック図である。
【符号の説明】
【００６８】
１０・・・レンズ鏡筒、１１・・・撮影光学系、１２・・・絞り、１３・・・レンズ駆動機構、１４・・・絞り駆動機構、１５・・・レンズ制御用マイクロコンピュータ（Ｌμｃｏｍ）、２０・・・カメラ本体、２６・・・液晶モニタ、３５・・・通信コネクタ、４０・・・可動反射ミラー、４１・・・ファインダ光学系、４２・・・接眼レンズ、４３・・・表示用撮像素子、４４・・・測光回路、４７・・・サブミラー、４８・・・ＡＦセンサユニット、５０・・・シャッタ、５１・・・撮像用撮像素子、５３・・・ＡＦセンサ駆動回路、５４・・・ミラー駆動機構、５５・・・シャッタチャージ機構、５６・・・シャッタ制御回路、５９・・・インターフェース回路、６０・・・画像処理コントローラ、６１・・・ＳＤＲＡＭ、６２・・・フラッシュＲＯＭ、６３・・・記録メディア、６５・・・ボディ制御用マイクロコンピュータ（Ｂμｃｏｍ）、６７・・・不揮発性メモリ、６８・・・動作表示用ＬＣＤ、６９・・・カメラ操作スイッチ、７０・・・電源回路、７２・・・ＡＣアダプタコネクタ、７５・・・接点群、７６・・・ダイオード、７７・・・ダイオード、７８・・・ダイオード、８０・・・バッテリホルダ、８２ａ・・・接点群、８２ｂ・・・接点群、８３・・・ダイオード、８４・・・ダイオード、８５・・・１Ｒスイッチ、８６・・・２Ｒスイッチ、８７・・・切換スイッチ、９０ａ・・・電池パック１、９０ｂ・・・電池パック２、９１ａ・・・電池セル、９１ｂ・・・電池セル、９２ａ・・・サーミスタ、９２ｂ・・・サーミスタ、９６・・・プラス極端子、９７・・・サーミスタ端子、９８・・・マイナス極端子、１００・・・接点支柱、１０１・・・接点面、１０２・・・接点面、１０３・・・接点面、１０４・・・接点面（可動）、１０５・・・三脚ネジ、１０６・・・三脚ネジダイアル、１０７・・・カバー、１１０ａ・・・電池室、１１０ｂ・・・電池室、１１１・・・信号線、１１２・・・信号線、１１３・・・信号線、１１４・・・信号線、１２１・・・接片、１２２・・・接片、１２３・・・接片、１２４・・・接片、１２６・・・フレキシブル基板、１２７・・・押さえ板、１２８・・・バネ、１２９・・・凹部、Ｂ・・・カメラ本体、ＢＣ・・・電源回路、Ｄ１・・・ダイオード、Ｄ２・・・ダイオード、Ｄ３・・・ダイオード、Ｅ１・・・電池、Ｅ２・・・電池、ＰＢＨ・・・バッテリホルダ
【図２】
2009043505.tif 000003
【図３】
2009043505.tif 000004
【図４】
2009043505.tif 000005
【図５】
2009043505.tif 000006
【図６】
2009043505.tif 000007
【図７】
2009043505.tif 000008
【図８】
2009043505.tif 000009
【図９】
2009043505.tif 000010
【図１】
2009043505.tif 000011